(57)【要約】【課題】色覚異常者であっても容易に識別することができ、さらにユーザの使い勝手を考慮した操作表示画面を有する画像形成装置を提供することである。【解決手段】表示操作部に表示する際の表示色の組み合わせをパターン化し、このパターン化された表示色の組み合わせを複数パターン記憶する表示色組み合わせ記憶手段を有し、表示制御部が、表示色組み合わせ記憶手段に記憶されたパターンに基づいて、表示操作部の表示色を制御する。【選択図】　図３
2004133182.tif 000002
【特許請求の範囲】
【請求項１】
原稿から画像を読み取って画像データを得る画像読取部と、画像データに基づいて用紙に画像を形成する画像形成部と、情報表示するとともにユーザが操作指示を入力する表示操作部と、前記表示操作部の表示内容を制御する表示制御部とを有する画像形成装置において、
前記表示操作部に表示する際の表示色の組み合わせをパターン化し、該パターン化された表示色の組み合わせを複数パターン記憶する表示色組み合わせ記憶手段をさらに有し、
前記表示制御部が、前記表示色組み合わせ記憶手段に記憶されたパターンに基づいて、前記表示操作部の表示色を制御する
ことを特徴とする画像形成装置。
【請求項２】
前記表示色組み合わせ記憶手段に記憶された複数パターンのうちのいずれかをユーザが選択する表示色選択手段をさらに有し、
前記表示制御部が、前記表示色選択手段によって選択されたパターンに基づいて、前記表示操作部の表示色を制御する
ことを特徴とする請求項１に記載の画像形成装置。
【請求項３】
前記表示色選択手段が、ユーザが操作することによって表示色選択の契機となる表示色変更ボタンを有し、
前記表示色変更ボタンが、前記表示操作部に設けられ、前記表示操作部の表示内容が変更された場合にあっても、前記表示操作部内の同じ位置に同じ形状で設けられている
ことを特徴とする請求項２に記載の画像形成装置。
【請求項４】
操作するユーザを識別する個人識別手段をさらに有し、
前記表示色組み合わせ記憶手段が、前記パターンと前記ユーザとを対応付けて記憶し、
前記表示制御部が、前記表示色組み合わせ記憶手段の記憶内容に基づいて前記個人識別手段によって識別されたユーザに対応付けられたパターンを選択し、該選択されたパターンに基づいて、前記表示操作部の表示色を制御する
ことを特徴とする請求項１に記載の画像形成装置。
【請求項５】
前記表示色組み合わせ記憶手段に記憶してある複数のパターンのうちの一をデフォルトパターンとして予め定め、
前記表示制御部が、前記表示操作部の表示色組み合わせを前記デフォルトパターンに基づいたもの以外に変更した場合には、その後、そのユーザの処理が終了し所定時間経過した場合に、前記デフォルトパターンに基づいて、前記表示操作部の表示色を制御する
ことを特徴とする請求項１ないし４のうちのいずれか１項に記載の画像形成装置。
【請求項６】
表示色の組み合わせの新たなパターンを前記表示色組み合わせ記憶手段に追加して記憶させるパターン追加手段をさらに有することを特徴とする請求項１ないし５のうちのいずれか１項に記載の画像形成装置。
【請求項７】
原稿から画像を読み取って画像データを得る画像読取部と画像データに基づいて用紙に画像を形成する画像形成部とを有する画像形成装置と、前記画像形成装置に接続され、情報表示するとともにユーザが前記画像形成装置に対する操作指示を入力する表示操作部を有する情報処理装置とを備えた画像形成システムにおいて、
前記画像形成装置が、前記表示操作部の表示内容を制御する表示制御部と、前記表示操作部に表示する際の表示色の組み合わせをパターン化し、該パターン化された表示色の組み合わせを複数パターン記憶する表示色組み合わせ記憶手段とをさらに有し、
前記表示制御部が、前記表示色組み合わせ記憶手段に記憶されたパターンに基づいて、前記表示操作部の表示色を制御する
ことを特徴とする画像形成システム。
【発明の詳細な説明】
【０００１】
【発明の属する技術分野】
本発明は、たとえば電子写真方式により用紙に画像形成する画像形成装置に関する。
【０００２】
【従来の技術】
一様に帯電させた感光体の感光層に光を当てて潜像を形成し、この感光層にトナーを付着させて現像し、これを用紙に転写して画像形成を行うディジタル複写機等の電子写真方式の画像形成装置がよく知られている。
【０００３】
このような画像形成装置によって画像形成を行う場合などの操作は、その画像形成装置に設けられた表示操作部からユーザが操作、入力することによって行われる。
【０００４】
最近では、ユーザの見やすさや情報量を考慮し、画像形成装置の表示操作部でも表示画面においてカラーで表示することができるようになってきている。
【０００５】
ところが、画像形成装置において表示画面でカラー表示を行う場合、ユーザによっては逆に見にくいと感じる場合があるという問題があった。
【０００６】
特許文献１ではこの点に着目し、表示画面の表示色を変更することができる画像形成装置について記載している。
【０００７】
【特許文献１】
特開平１１−２０３００７号公報
【発明が解決しようとする課題】
ところが、特許文献１に記載の画像形成装置では、表示画面を変更することについて触れてはいるものの、たとえば色覚異常者に対しての考慮はされておらず、また、画像形成装置を操作するユーザの使い勝手までは考慮されていないものであった。
【０００８】
本発明は上記の点にかんがみてなされたもので、色覚異常者であっても容易に識別することができ、さらにユーザの使い勝手を考慮した操作表示画面を有する画像形成装置を提供することを目的とする。
【０００９】
【課題を解決するための手段】
本発明は上記の目的を達成するために、原稿から画像を読み取って画像データを得る画像読取部と、画像データに基づいて用紙に画像を形成する画像形成部と、情報表示するとともにユーザが操作指示を入力する表示操作部と、前記表示操作部の表示内容を制御する表示制御部とを有する画像形成装置において、前記表示操作部に表示する際の表示色の組み合わせをパターン化し、該パターン化された表示色の組み合わせを複数パターン記憶する表示色組み合わせ記憶手段をさらに有し、前記表示制御部が、前記表示色組み合わせ記憶手段に記憶されたパターンに基づいて、前記表示操作部の表示色を制御することを特徴とする。
【００１０】
また本発明は、請求項１に記載の発明において、前記表示色組み合わせ記憶手段に記憶された複数パターンのうちのいずれかをユーザが選択する表示色選択手段をさらに有し、前記表示制御部が、前記表示色選択手段によって選択されたパターンに基づいて、前記表示操作部の表示色を制御することを特徴とする。
【００１１】
また本発明は、請求項１に記載の発明において、前記表示色選択手段が、ユーザが操作することによって表示色選択の契機となる表示色変更ボタンを有し、前記表示色変更ボタンが、前記表示操作部に設けられ、前記表示操作部の表示内容が変更された場合にあっても、前記表示操作部内の同じ位置に同じ形状で設けられていることを特徴とする。
【００１２】
また本発明は、請求項１に記載の発明において、操作するユーザを識別する個人識別手段をさらに有し、前記表示色組み合わせ記憶手段が、前記パターンと前記ユーザとを対応付けて記憶し、前記表示制御部が、前記表示色組み合わせ記憶手段の記憶内容に基づいて前記個人識別手段によって識別されたユーザに対応付けられたパターンを選択し、該選択されたパターンに基づいて、前記表示操作部の表示色を制御することを特徴とする。
【００１３】
また本発明は、請求項１ないし４のうちのいずれか１項に記載の発明において、前記表示色組み合わせ記憶手段に記憶してある複数のパターンのうちの一をデフォルトパターンとして予め定め、前記表示制御部が、前記表示操作部の表示色組み合わせを前記デフォルトパターンに基づいたもの以外に変更した場合には、その後、そのユーザの処理が終了し所定時間経過した場合に、前記デフォルトパターンに基づいて、前記表示操作部の表示色を制御することを特徴とする。
【００１４】
また本発明は、請求項１ないし５のうちのいずれか１項に記載の発明において、表示色の組み合わせの新たなパターンを前記表示色組み合わせ記憶手段に追加して記憶させるパターン追加手段をさらに有することを特徴とする。
【００１５】
また本発明は、原稿から画像を読み取って画像データを得る画像読取部と画像データに基づいて用紙に画像を形成する画像形成部とを有する画像形成装置と、前記画像形成装置に接続され、情報表示するとともにユーザが前記画像形成装置に対する操作指示を入力する表示操作部を有する情報処理装置とを備えた画像形成システムにおいて、前記画像形成装置が、前記表示操作部の表示内容を制御する表示制御部と、前記表示操作部に表示する際の表示色の組み合わせをパターン化し、該パターン化された表示色の組み合わせを複数パターン記憶する表示色組み合わせ記憶手段とをさらに有し、前記表示制御部が、前記表示色組み合わせ記憶手段に記憶されたパターンに基づいて、前記表示操作部の表示色を制御する
ことを特徴とする。
【００１６】
【発明の実施の形態】
以下、本発明の実施の形態を図面を参照して説明する。
【００１７】
図１は、本発明による画像形成装置の一実施の形態の構成を示す概略断面図である。本実施の形態では画像形成装置として電子写真方式の複写機を例に挙げて説明する。
【００１８】
ここで、図１を参照して本実施の形態による画像形成装置１００の構成および基本動作について説明する。
【００１９】
ユーザが画像形成装置１００に設けられた後述の表示操作部を操作し、コピーの指示を入力すると、自動原稿搬送部１の原稿給紙台１１に画像面を上向きにして載置され原稿は、送り出しローラ１２の動作により１枚ずつ送り出され、レジストローラ１３により一旦停止されて先端が整えられた後、搬送ドラム１４に搬送され、搬送ドラム１４の面に沿って一体になり、搬送ドラム１４が反時計方向に回転する過程で画像読取部２によって画像面の読み取りが行われ、しかる後、ほぼ半周した位置においてドラム面より分岐し排紙台１５に排出される。また、両面読取においては、読取後の原稿を表裏反転し、搬送ドラム１４によって再度搬送して裏面読取を行う。
【００２０】
画像読取部２においては、光源２３ａとミラー２３ｂとを備える第１ミラーユニット２３が、前記搬送ドラム１４の真下の位置で、通過する原稿を順次照明して読み取り、原稿の移動方向に直交するように配置したミラー２４ａとミラー２４ｂとを備える第２ミラーユニット２４により反射し、結像レンズ２５を介してライン状の撮像素子２６に結像して画像情報を得る。また、この画像形成装置１００は、静止原稿台２７に原稿を載置し、前記ミラーユニット２３、２４が移動して読み取る機能も備えている。
【００２１】
画像読取部２において読み取られた原稿画像の画像情報は画像処理装置により画像処理が行われ画像情報として一旦メモリに格納される。
【００２２】
画像形成部３においては、画像情報がメモリより読み出されて露光装置３３に入力し、図示していないレーザ発光器から画像情報に従って変調されたレーザビームがポリゴンミラーの回転作動によって感光層を有する感光体ドラム３１に対する主走査露光を行う。帯電装置３２により前もって帯電電位を付与された感光体ドラム３１の軸方向のポリゴンミラーによる主走査と感光体ドラム３１の回転による副走査とが行われて感光体ドラム３１の感光層に静電潜像を形成する。その後、この静電潜像は現像装置４０で現像剤により反転現像されてトナー像とされる。
【００２３】
これに平行して用紙給紙装置５として、手差し給紙トレイ１９または用紙を収容する本体給紙トレイ７から画像を形成するための用紙が給紙される。本体給紙トレイ７はたとえば７ａ、７ｂ、７ｃの３段を有し、各給紙ローラ５１Ａ、５１Ｂ、５１Ｃのいずれかが作動して用紙を搬出し、搬送ローラ５５、レジストローラ５６および搬送ローラ３９に給送されて、感光体ドラム３１上のトナー像に同期して感光体ドラム３１に給紙される。
【００２４】
用紙が貼りついた状態の感光体ドラム３１は、転写装置３５からの放電を受けるとともに除電ランプ（ＴＳＬ）４１からの光の照射を受け、これによって感光体ドラム３１上のトナー像は用紙側に転移して転写され、トナー像が転写された用紙は、分離装置３６において除電されて感光体ドラム３１から分離し、搬送ベルトを介して定着装置３８に搬送され、ヒーター３８ｃを有しこれによって加熱された定着用ローラ３８ｂと定着用ローラ３８ａとの間を通過する際に加熱圧着され、これによってトナーが定着され、排出部６の定着排紙ローラ６１より排紙され、排紙トレイ６４に排出される。
【００２５】
一方、用紙が分離されるとともに残留電位を除電された感光体ドラム３１はクリーニング装置３７において残留トナーを除去、清掃されて次なる画像形成のプロセスに入れるよう画像形成装置１００は構成されていて、すべての制御は制御手段としてのＣＰＵにおいて行われる。
【００２６】
図２は、図１に示した画像形成装置１００の制御に関する構成を示すブロック図である。
【００２７】
図２に示すように、画像形成装置１００は、全体の制御を行う制御手段１０１と、原稿から画像を読み取る画像読取部２と、たとえば紙などの画像形成用紙に画像を形成する画像形成部３と、画像読取部２によって読み取った画像データやそのほか、制御手段１０１で実行するプログラム、ディジタル複写機１００の動作に必要なパラメータ等を記憶する記憶手段１０２と、ディジタル複写機１００からユーザに対して情報表示したり、ユーザがディジタル複写機１００に対する操作、指示等を入力する操作手段１０３とを有して構成される。また、操作手段１０３は、タッチパネルのように一体化した表示操作部を有して構成される。
【００２８】
図３は、図２に示した操作手段１０３の構成を示すブロック図である。
【００２９】
図３に示すように、操作手段１０３は、ユーザに対する表示やユーザからの操作入力の制御を行う表示制御部１０５と、ユーザが表示色を選択するための表示色選択手段１０６と、表示する文字や記号、レイアウト等を記憶する表示データ記憶手段１０７と、パターン化された表示色の組み合わせを複数パターン記憶する表示色組み合わせ記憶手段１０８と、たとえばＬＣＤ（Ｌｉｑｕｉｄ　Ｃｒｙｓｔａｌ　Ｄｉｓｐｌａｙ（液晶ディスプレイ））で構成される表示操作部１０９とを有して構成される。
【００３０】
次に、図面を参照して本実施の形態の動作について詳しく説明する。
【００３１】
図４は、図３に示した表示操作部１０９における操作画面の表示例を示す図である。
【００３２】
図５は、図４に示した表示色変更ボタン１２０が押下された場合に表示される表示色選択画面の表示例を示す図である。
【００３３】
図４に示すように表示操作部１０９には表示色変更ボタン１２０が設けられている。この表示色変更ボタン１２０が押下されると、図５に示す表示色選択画面１２１が表示される。
【００３４】
この表示色変更ボタン１２０は、図４に示すようにＬＣＤ内に設けてもよいし、ＬＣＤ外にハードキーとして設けてもよい。また、表示色変更ボタン１２０をＬＣＤ内に設ける場合には、ＬＣＤすなわち表示操作部１０９で表示する内容が処理段階に応じて変わる場合においても、いつでもＬＣＤ内の同じ位置に同じ形状（大きさ、デザイン）で表示色変更ボタン１２０を表示するようにするのが好ましい。
【００３５】
表示色選択画面１２１では、図５に示すように、表示色組み合わせ記憶手段１０８に記憶してある表示色組み合わせパターンのそれぞれに付けた名称を表示し、その表示された中からユーザが所望の表示色組み合わせパターンを選択する。これが表示色選択手段１０６である。
【００３６】
従来の画像形成装置における表示色の組み合わせでは、表示文字と背景との色組み合わせなど、隣り合ったものの色組み合わせにおいて、たとえば色覚異常者には識別できない、または、識別しにくい場合があった。
【００３７】
そこで、本実施の形態では、表示色組み合わせ記憶手段１０８に記憶しておく表示色組み合わせパターンとして、たとえば、
１．モノクロ　：明度の違いのみによる色組み合わせ
２．カラー１　：ノーマルカラー（デザイン重視）の色組み合わせ
３．カラー２　：色覚異常者にも見やすい色組み合わせ（青系色を使わない。）
４．カラー３　：色覚異常者にも見やすい色組み合わせ（緑系色を使わない。または緑系色と赤系色とを隣り合わせて使わない。）
５．カラー４　：色覚異常者にも見やすい色組み合わせ（赤系色を使わない。または緑系色と赤系色とを隣り合わせて使わない。）
の５パターンを用意し、表示色組み合わせ記憶手段１０８に記憶しておく。
【００３８】
なお、表示色組み合わせ記憶手段１０８に記憶しておく表示色組み合わせパターンの中には、色を使わないモノトーン（網掛け、斜線、ｅｔｃ）のパターンが存在してもよい。
【００３９】
また、表示色組み合わせ記憶手段１０８に記憶しておく表示色組み合わせパターンとしては、健常者用のノーマルカラーのパターン（上記の項２のカラー１）と色覚異常者用のモノクロのパターン（上記の項１のモノクロ）との２種類であってもよいし、健常者用のノーマルカラーのパターン（上記の項２のカラー１）と色覚異常者用のその症状ごとに見やすい３種類の色組み合わせパターン（上記の項３のカラー２、項４のカラー３、項５のカラー４、）との４種類であってもよい。
【００４０】
表示色選択画面１２１で、ユーザが所望の表示色組み合わせパターンを選択すると、図３に示した表示制御部１０５ではそれを受け、表示色組み合わせ記憶手段１０８からユーザが選択したパターンを読み出し、それに基づいて表示操作部１０９の表示色組み合わせを変更する。
【００４１】
なお、このようにして表示色組み合わせが変更された場合には、その後、そのユーザの処理が終了し所定時間経過した場合に、表示制御部１０５では表示操作部１０９の表示色組み合わせを、予め定めたデフォルトの表示色組み合わせに戻すように制御するのが望ましい。
【００４２】
次に、本発明の、図３とは別の実施の形態について図６を参照して説明する。
【００４３】
図６は、図２に示した操作手段の、図３とは別の構成を示すブロック図である。
【００４４】
図６に示すように、この実施の形態では、操作手段１１１は、ユーザに対する表示やユーザからの操作入力の制御を行う表示制御部１１３と、ユーザの識別を行う個人識別手段１１２と、表示する文字や記号、レイアウト等を記憶する表示データ記憶手段１０７と、パターン化された表示色の組み合わせを複数パターン記憶するとともに、このパターンと個人識別手段１１２で識別する各ユーザとを対応付けて記憶する表示色組み合わせ記憶手段１１４と、たとえばＬＣＤで構成される表示操作部１０９とを有して構成される。
【００４５】
次に、図６を参照してこの実施の形態の動作について詳しく説明する。
【００４６】
この実施の形態では、個人識別手段１１２を備え、この個人識別手段１１２によって画像形成装置１００を使用しようとしているユーザの識別を行う。
【００４７】
この個人識別手段１１２としては、たとえば、ユーザが画像形成装置１００の表示操作部１０９を操作してユーザＩＤおよびパスワードを直接入力しこれによって個人を識別するものであってもよいし、ユーザＩＤ等が記憶されたＩＣカード等を画像形成装置に挿入することによって入力するものであってもよいし、ワイヤレス通信を行うＢｌｕｅｔｏｏｔｈや赤外線通信等を利用して入力するものであってもよい。
【００４８】
また、この個人識別手段１１２としては、ユーザＩＤおよびパスワードによるものではなく、たとえば、指紋、音声（声紋）、眼（虹彩）、顔認証等によって、個人を識別するものであってもよい。
【００４９】
上述のように個人識別手段１１２によって画像形成装置を使用しようとするユーザが識別されたならば、図６に示した表示制御部１１３ではそれを受け、そのユーザに対応付けられたパターンを表示色組み合わせ記憶手段１１４から読み出し、それに基づいて表示操作部１０９の表示色組み合わせを変更する。
【００５０】
なお、上述の各実施の形態では、表示操作部１０９の表示色組み合わせを変更するようにしたが、本発明はこれに限られるものではなく、たとえば、画像形成装置に直接（ケーブル等によって）または間接的（種々ネットワークを介して）にＰＣ（パソコン）等の情報処理装置を接続し、この情報処理装置の表示操作部をユーザが操作することによって画像形成装置を遠隔操作することができる画像形成システムの場合には、情報処理装置の表示操作部における表示色組み合わせを、上述の表示操作部１０９と同様に制御することができる。また、このように情報処理装置から画像形成装置を操作する場合には、画像形成装置では、どの情報処理装置からアクセスされたかの情報（たとえばＩＰアドレス）によって操作するユーザを識別することができるので、これを個人識別手段１１２として用いてもよい。
【００５１】
また、表示色組み合わせ記憶手段に記憶する表示色組み合わせのパターンは、予め用意したものだけを記憶しておくのでもよいが、ユーザが作成した色組み合わせのパターンを新たに追加して記憶させ、表示制御部ではその新たに記憶させた色組み合わせのパターンに基づいて表示操作部の表示色を制御するようにしてもよい。このパターンの追加すなわちパターン追加手段は、ユーザ（またはそのユーザの補助をする者）が表示操作部を操作し、表示制御部がユーザの操作に基づいて新たなパターンを表示色組み合わせ手段に記憶させることによって実現される。また、表示色組み合わせ記憶手段に記憶するパターンは追加、削除、変更等をユーザが任意に行えるようにしてもよい。
【００５２】
【発明の効果】
以上説明したように、本発明によれば、色覚異常者であっても容易に識別することができ、さらにユーザの使い勝手を考慮した操作表示画面を有する画像形成装置を提供することができる。
【００５３】
すなわち本発明によれば、健常者だけではなく、色覚異常者などあらゆるユーザに対して使いやすい表示操作部を提供することができる。
【００５４】
また本発明によれば、表示色の組み合わせをパターン化して記憶してあるので、表示色の変更を容易に行うことができる。
【図面の簡単な説明】
【図１】本発明による画像形成装置の一実施の形態の構成を示す概略断面図である。
【図２】図１に示した画像形成装置の制御に関する構成を示すブロック図である。
【図３】図２に示した操作手段の構成を示すブロック図である。
【図４】図３に示した表示操作部における操作画面の表示例を示す図である。
【図５】図４に示した表示色変更ボタンが押下された場合に表示される表示色選択画面の表示例を示す図である。
【図６】図２に示した操作手段の、図３とは別の構成を示すブロック図である。
【符号の説明】
１　自動原稿搬送部
１１　原稿給紙台
１２　送り出しローラ
１３　レジストローラ
１４　搬送ドラム
１５　排紙台
２　画像読取部
２３ａ　光源
２３ｂ　ミラー
２３　第１ミラーユニット
２４ａ　ミラー
２４ｂ　ミラー
２４　第２ミラーユニット
２５　結像レンズ
２６　撮像素子
２７静止原稿台
３　画像形成部
３１　感光体ドラム
３２　帯電装置
３３　露光装置
４０　現像装置
５　用紙給紙装置
１９　手差し給紙トレイ
７　本体給紙トレイ
７ａ、７ｂ、７ｃ　本体給紙トレイ
５１Ａ、５１Ｂ、５１Ｃ　給紙ローラ
５５　搬送ローラ
５６　レジストローラ５６
３９　搬送ローラ
３５　転写装置
４１　除電ランプ（ＴＳＬ）
３６　分離装置
３８　定着装置
３８ａ、３８ｂ　定着用ローラ
３８ｃ　ヒーター
６　排出部
６１　定着排紙ローラ
６４　排紙トレイ
３７　クリーニング装置
１００　画像形成装置
１０１　制御手段
１０２　記憶手段
１０３　操作手段
１０５　表示制御部
１０６　表示色選択手段
１０７　表示データ記憶手段
１０８　表示色組み合わせ記憶手段
１０９　表示操作部
１１１　操作手段
１１２　個人識別手段
１１３　表示制御部
１１４　表示色組み合わせ記憶手段
１２０　表示色変更ボタン
１２１　表示色選択画面
【図１】
2004133182.tif 000003
【図２】
2004133182.tif 000004
【図３】
2004133182.tif 000005
【図４】
2004133182.tif 000006
【図５】
2004133182.tif 000007
【図６】
2004133182.tif 000008